(57)【要約】【課題】  インターホンシステムの防犯機能を住戸周辺の道路に出没する不審者に対してまで拡張して対応でき、然も映像を記録する機能を備えたインターホンシステムを提供する。【解決手段】  玄関子機１に、不特定の人物が防犯のために携行して所定の操作で特定の無線信号を発信する携帯発信器３からの発信信号を受信する無線受信部１７を設け、居室親機２に、無線受信部１７が特定の無線信号を受信したらカメラ１３を駆動させてその撮像映像を録画メモリ２７に録画し、更に呼出時に報音される呼出音とは異なる警報音を玄関子機１及び居室親機２から報音させる親機ＣＰＵ３４を設けた。【選択図】  図２
2011135494.tif 000002
【特許請求の範囲】
【請求項１】
玄関に設置されて来訪者が居住者を呼び出して通話するための玄関子機と、住戸内に設置されて居住者が前記玄関子機からの呼び出しに応答するための居室親機とを有し、前記玄関子機が来訪者を撮像するためのカメラを備えると共に前記居室親機が前記カメラの撮像映像を表示するモニタ、及び録画する録画メモリを備えて成るインターホンシステムであって、
前記玄関子機は、不特定の通行人が防犯のために携行している携帯発信器から発信される特定の無線信号を受信する無線受信部を有し、
前記居室親機は、前記無線受信部が前記特定の無線信号を受信したら、前記カメラを駆動させてその撮像映像を前記録画メモリに録画し、更に呼出時に報音される呼出音とは異なる警報音を、前記玄関子機及び前記居室親機のうち少なくとも居室親機から報音させる非常動作制御部を有することを特徴とするインターホンシステム。
【請求項２】
前記居室親機は、前記特定の無線信号を受信したら所定時間の計時を開始するタイマを備える一方、前記携帯発信器は、前記特定の無線信号を発信させる通報ボタンに加えて、この信号による通知をキャンセルするためのキャンセル信号を発信させるキャンセルボタンを備え、
前記非常動作制御部は、前記無線受信部で前記特定の無線信号を受信したら、前記所定時間の経過を待って録画及び警報音の発報を実施し、且つ前記所定時間が経過するまでに前記キャンセル信号を受信したら待受け状態に移行させ、その後録画及び警報音の発報を実施しないことを特徴とする請求項１記載のインターホンシステム。
【請求項３】
前記居室親機は、前記特定の無線信号を受信したら所定時間の計時を開始する遅延タイマを備える一方、前記携帯発信器は、前記特定の無線信号を発信させる通報ボタンに加えて、この信号による通知をキャンセルするためのキャンセル信号を発信させるキャンセルボタンを備え、
前記非常動作制御部は、前記無線受信部で前記特定の無線信号を受信したら、前記玄関子機から警報音の発報を実施させる一方、録画及び前記居室親機の警報音の発報は前記遅延タイマによる所定時間の経過を待って実施し、且つ前記所定時間が経過するまでに前記キャンセル信号を受信したら待受け状態に移行させ、前記玄関子機の警報音を停止させると共に、その後録画及び前記居室親機の警報音発報を実施しないことを特徴とする請求項１記載のインターホンシステム。
【請求項４】
前記玄関子機は、前記カメラの夜間撮像を可能とするための照明手段を有し、
前記非常動作制御部は、前記無線受信部が前記特定の無線信号を受信したら、前記照明手段を点滅制御することを特徴とする請求項１乃至３の何れかに記載のインターホンシステム。
【請求項５】
前記非常動作制御部は、前記照明手段の点滅周期に同期させて前記カメラの撮像映像を画像として録画することを特徴とする請求項４記載のインターホンシステム。
【請求項６】
前記玄関子機は、前記照明手段を夜間照明として機能させるための照度センサを有し、
前記非常動作制御部は、前記照度センサの情報を基に明るい場合には動画で録画し、暗い場合は画像で録画することを特徴とする請求項５記載のインターホンシステム。
【請求項７】
前記居室親機は、前記特定の無線信号を受信したら所定時間の計時を開始する録画開始タイマを有し、
前記非常動作制御部は、前記無線受信部が前記特定の無線信号を受信してから前記録画開始タイマによる所定時間が経過したら録画を開始することを特徴とする請求項１記載のインターホンシステム。
【請求項８】
前記居室親機は、前記特定の無線信号を受信したら、若しくは録画及び／又は警報音の発報を開始したらカウントを開始し、一定時間のカウントが終了したら前記非常動作制御部が動作を終了して待受け状態に移行する終了タイマを有することを特徴とする請求項１乃至７の何れかに記載のインターホンシステム。
【請求項９】
前記居室親機は、前記特定の無線信号を受信したら、若しくは警報音の発報を開始したらカウントを開始し、一定時間のカウントが終了したら前記居室親機の警報音の発報のみ停止させる鳴動停止タイマを備えたことを特徴とする請求項１乃至７の何れかに記載のインターホンシステム。
【請求項１０】
前記非常動作制御部は、録画の終了に合わせて前記居室親機の警報音の発報を停止すること特徴とする請求項１乃至７の何れかに記載のインターホンシステム。
【請求項１１】
前記非常動作制御部は、特定の無線信号を受けて録画した映像に対しては所定の消去禁止処理を行い、前記居室親機の通常の消去操作では消去できないことを特徴とする請求項１乃至１０の何れかに記載のインターホンシステム。
【請求項１２】
前記居室親機は通信ネットワークに接続する通信インターフェースを有し、別途通信ネットワークに接続された外部記憶手段と通信が可能であって、
前記非常動作制御部は、前記特定の無線信号を受信したら前記外部記憶手段と通信を開始し、前記録画メモリに加えて前記外部記憶手段にも映像を送信して録画を実施することを特徴とする請求項１乃至請求項１１の何れかに記載のインターホンシステム。
【発明の詳細な説明】
【技術分野】
【０００１】
本発明はインターホンシステムに関し、特にインターホンシステムを設置した住戸近くに不審者が現れたら録画や威嚇動作を行う機能を備えたインターホンシステムに関する。
【背景技術】
【０００２】
従来より、住戸の玄関等に不審者が現れたら警報音を発したりカメラを起動させて録画するインターホンシステムがある。例えば特許文献１では、不審者が現れたらセンサカメラが起動して撮像を開始し、その映像を居室親機が録画した。そして、居室親機において警報音を発すると共に、玄関子機からは威嚇音を発報した。
【先行技術文献】
【特許文献】
【０００３】
【特許文献１】特開２００９−２７２８１９号公報
【発明の概要】
【発明が解決しようとする課題】
【０００４】
上記従来のインターホンシステムは、センサカメラは近づく人物を全て検知して動作するため、明らかに不審者でない例えば居住者である場合は動作しないよう映像で判別する工夫が成され、不審者が住戸の敷地内に侵入した場合はそれを検知し、録画することができた。
一方で、子供や女性等の弱者が、通行中に不審者につきまとわれたり襲われる問題が発生しており、それを防ぐ対策が望まれている。
しかしながら、上記センサカメラを接続したインターホンシステムは、住戸の敷地内に不審者が侵入した場合に威嚇等を実施することはできたが、玄関先の道路や住戸周辺の道路等を登下校する子供等の弱者を不審者から守ることはできなかった。
【０００５】
そこで、本発明はこのような問題点を解決するためになされたもので、インターホンシステムの防犯機能を住戸周辺の道路に出没する不審者に対してまで拡張して対応でき、然も映像を記録する機能を備えたインターホンシステムを提供することを目的としている。
【課題を解決するための手段】
【０００６】
上記課題を解決する為に、請求項１の発明は、玄関に設置されて来訪者が居住者を呼び出して通話するための玄関子機と、住戸内に設置されて居住者が玄関子機からの呼び出しに応答するための居室親機とを有し、玄関子機が来訪者を撮像するためのカメラを備えると共に居室親機がカメラの撮像映像を表示するモニタ、及び録画する録画メモリを備えて成るインターホンシステムであって、玄関子機は、不特定の通行人が防犯のために携行している携帯発信器から発信される特定の無線信号を受信する無線受信部を有し、居室親機は、無線受信部が特定の無線信号を受信したら、カメラを駆動させてその撮像映像を録画メモリに録画し、更に呼出時に報音される呼出音とは異なる警報音を、玄関子機及び居室親機の少なくとも居室親機から報音させる非常動作制御部を有することを特徴とする。
この構成によれば、特定の無線信号を受信することで録画や警報発報を開始する。そのため、敷地内まで不審者が入ってこなくても、録画により不審者の特定や犯罪の証拠として役立てることができる。また、居住者は不審者が近くにいることを認識でき、通報者の安全を確保し易い。
【０００７】
請求項２の発明は、請求項１に記載の構成において、居室親機は、特定の無線信号を受信したら所定時間の計時を開始するタイマを備える一方、携帯発信器は、特定の無線信号を発信させる通報ボタンに加えて、この信号による通知をキャンセルするためのキャンセル信号を発信させるキャンセルボタンを備え、非常動作制御部は、無線受信部で特定の無線信号を受信したら、所定時間の経過を待って録画及び警報音の発報を実施し、且つ所定時間が経過するまでにキャンセル信号を受信したら待受け状態に移行させ、その後録画及び警報音の発報を実施しないことを特徴とする。
この構成によれば、インターホン側が通報を受けても一定時間は録画も警報の発報動作も行わないので、携帯発信器を操作した通報者が誤操作して通報操作した場合であっても、所定時間内にキャンセル操作すればインターホン側は発報動作等行わない。よって、誤操作により居住者に迷惑をかけることがない。
【０００８】
請求項３の発明は、請求項１に記載の構成において、居室親機は、特定の無線信号を受信したら所定時間の計時を開始する遅延タイマを備える一方、携帯発信器は、特定の無線信号を発信させる通報ボタンに加えて、この信号による通知をキャンセルするためのキャンセル信号を発信させるキャンセルボタンを備え、非常動作制御部は、無線受信部で特定の無線信号を受信したら、玄関子機から警報音の発報を実施させる一方、録画及び居室親機の警報音の発報は遅延タイマによる所定時間の経過を待って実施し、且つ所定時間が経過するまでにキャンセル信号を受信したら待受け状態に移行させ、玄関子機の警報音を停止させると共に、その後録画及び居室親機の警報音発報を実施しないことを特徴とする。
この構成によれば、インターホン側が携帯発信器からの通報を受けて玄関子機からは即座に警報音が報音される。よって、通行人に対する通報や不審者に対する威嚇は有効に作用する。
一方、居室親機では、一定時間は録画も警報の発報動作も行わないので、携帯発信器を操作した通報者が誤操作して通報操作した場合であっても、所定時間内にキャンセル操作すれば居室親機側は発報動作等行わない。よって、誤操作により居住者に迷惑をかけることがない。
【０００９】
請求項４の発明は、請求項１乃至３の何れかに記載の構成において、玄関子機は、カメラの夜間撮像を可能とするための照明手段を有し、非常動作制御部は、無線受信部が特定の無線信号を受信したら、照明手段を点滅制御することを特徴とする。
この構成によれば、不審者に対して音に加えて光でも威嚇することができる。
【００１０】
請求項５の発明は、請求項４に記載の構成において、非常動作制御部は、照明手段の点滅周期に同期させてカメラの撮像映像を画像として録画することを特徴とする。
この構成によれば、夜間であっても警報としての照明の点滅に同期させて明るい画像を録画することが可能となるので、良好な撮像状態で録画することができる。
【００１１】
請求項６の発明は、請求項５に記載の構成において、玄関子機は、照明手段を夜間照明として機能させるための照度センサを有し、非常動作制御部は、照度センサの情報を基に明るい場合には動画で録画し、暗い場合は画像で録画することを特徴とする。
この構成によれば、照明の不要な昼間は動画で、照明の必要な夜間は警告の照明点滅の周期にあわせて静止画で録画することにより、撮影環境を活用して無駄のない録画を行うことができる。
【００１２】
請求項７の発明は、請求項１に記載の構成において、居室親機は、特定の無線信号を受信したら所定時間の計時を開始する録画開始タイマを有し、非常動作制御部は、無線受信部が特定の無線信号を受信してから録画開始タイマによる所定時間が経過したら録画を開始することを特徴とする。
この構成によれば、受信可能な距離を考慮して録画開始のタイミングを設定することができ、玄関前を通過するタイミングで録画を開始することができる。
【００１３】
請求項８の発明は、請求項１乃至７の何れかに記載の構成において、居室親機は、特定の無線信号を受信したら、若しくは録画及び／又は警報音の発報を開始したらカウントを開始し、一定時間のカウントが終了したら非常動作制御部が動作を終了して待受け状態に移行する終了タイマを有することを特徴とする。
この構成によれば、居住者が留守の場合であっても、通報を受けて録画等を行い、その後自動で待受け状態に移行するので、留守にしたことで防犯機能が無駄になることがないし、使い勝手が悪くなることもない。
【００１４】
請求項９の発明は、請求項１乃至７の何れかに記載の構成において、居室親機は、特定の無線信号を受信したら、若しくは警報音の発報を開始したらカウントを開始し、一定時間のカウントが終了したら居室親機の警報音の発報のみ停止させる鳴動停止タイマを備えたことを特徴とする。
この構成によれば、一定時間経過後は、居室親機側の警報音は停止するので、居住者に対する負担を軽減できる。一方、他の警報動作や録画は継続されるので、防犯機能を維持することができる。
【００１５】
請求項１０の発明は、請求項１乃至７の何れかに記載の構成において、非常動作制御部は、録画の終了に合わせて居室親機の警報音の発報を停止すること特徴とする。
この構成によれば、録画終了に合わせて親機側の警報音が停止するので、録画の終了を認識できる。
【００１６】
請求項１１の発明は、請求項１乃至１０の何れかに記載の構成において、非常動作制御部は、特定の無線信号を受けて録画した映像に対しては所定の消去禁止処理を行い、居室親機の通常の消去操作では消去できないことを特徴とする。
この構成によれば、通報による録画映像はプロテクトされるので、居住者が安易に削除するような事態を防止できる。
【００１７】
請求項１２の発明は、請求項１乃至１１の何れかに記載の構成において、居室親機は通信ネットワークに接続する通信インターフェースを有し、別途通信ネットワークに接続された外部記憶手段と通信が可能であって、非常動作制御部は、特定の無線信号を受信したら外部記憶手段と通信を開始し、録画メモリに加えて外部記憶手段にも映像を送信して録画を実施することを特徴とする。
この構成によれば、通信ネットワークを介して外部に設けた外部記憶手段に録画するため、居室親機での録画が削除された場合でも、撮像データを残すことができる。また、外部記憶手段を警備会社等に設置すれば、不審者映像を一括して管理でき、有効な利用を図ることができる。
【発明の効果】
【００１８】
本発明によれば、特定の無線信号を受信することで録画や警報発報を開始するので、敷地内まで不審者が入ってこなくても、録画により不審者の特定や犯罪の証拠として役立てることができる。また、居住者は不審者が近くにいることを認識でき、通報者の安全を確保し易い。
【図面の簡単な説明】
【００１９】
【図１】本発明に係るインターホンシステムの一例を示す構成図である。
【図２】玄関子機と居室親機の回路ブロック図である。
【図３】携帯発信器の回路ブロック図である。
【図４】本発明のインターホンシステム他の例を示す構成図である。
【発明を実施するための形態】
【００２０】
以下、本発明を具体化した実施の形態を、図面に基づいて詳細に説明する。図１は、本発明に係るインターホンシステムの一例を示す構成図であり、１は住戸玄関に設置されて来訪者が居住者を呼び出すための玄関子機、２は住戸内に設置されて居住者が玄関子機１からの呼び出しに応答するための居室親機、３は道路を通行する人物が携行して不審者を発見したり不審者に尾行された場合に通報するための携帯発信器である。玄関子機１は伝送線Ｌ１を介して居室親機２に接続されている。
尚、Ｐは道路を通行する歩行者、Ｆは不審者を示し、Ｈ１，Ｈ２，・・は夫々本発明のインターホンシステムを設置した住戸を示している。また４は携帯発信器の代わりに玄関先で緊急事態を通報するための緊急ボタンであり、玄関子機１に接続されている。
【００２１】
玄関子機１及び居室親機２は、図２の回路ブロック図に示すように構成されている。玄関子機１は、来訪者が居住者を呼び出すための呼出ボタン１１、通話するためのマイク１２ａ、スピーカ１２ｂ、マイク１２ａ及びスピーカ１２ｂを制御する通話回路１２、来訪者に加えて玄関先の道路を通行する不審者や通報者を撮像するためのカメラ１３、カメラ１３が撮像した映像の変調処理等を行う映像処理部１４、照度を検知する照度センサ１５、夜間にカメラ１３による撮像を可能にするためのカメラ照明１６、携帯発信器３から発信された電波を受信する無線受信部１７、居室親機２と通信するための子機ＩＦ１８、玄関子機１全体を制御するための子機ＣＰＵ１９等を備えている。
【００２２】
居室親機２は、通話操作、各種設定等の操作を行うタッチパネルやハードボタン等で構成された操作部２１、来訪者と通話するためのマイク２２ａ、スピーカ２２ｂ、マイク２２ａ及びスピーカ２２ｂを制御する通話回路２２、玄関子機１のカメラ１３で撮像した映像を表示するためのモニタ２４、玄関子機１から伝送された映像信号の復調処理等を行う映像処理部２５、映像或いは画像を録画するための録画メモリ２７、玄関子機１のスピーカ１２ｂを使用して音声やサイレン音等から成る威嚇音を報音するための音声メモリ２８、録画開始のタイミングや録画終了をカウントするためのタイマ２９、留守時に来訪者映像を自動録画する等の留守設定や操作部２１で設定した他の情報、更には家族への伝言等を記憶する設定記憶部３０、家族に対する伝言等の新着情報がある場合にそれを通知するための新着表示部３１、携帯発信器３からの電波受信による録画があることを通知する緊急表示部３２、玄関子機１と通信するための親機ＩＦ３３、居室親機２全体を制御するための親機ＣＰＵ３４等を備えている。
【００２３】
図３は携帯発信器３の回路ブロック図を示している。この図３に示すように、携帯発信器３は、不審者に遭遇した際に特定の無線信号を発信させて通報するための通報ボタン３６、通報をキャンセルする所定のキャンセル信号を発信させるためのキャンセルボタン３７、特定の無線信号やキャンセル信号を電波発信する発信部３８、携帯発信器３を制御する発信器ＣＰＵ３９等を備えている。
【００２４】
このように構成されたインターホンシステムについて以下、動作を説明する。但し、来訪者が居住者を呼び出して通話する動作、また呼出操作によりモニタ２４に来訪者映像が表示される動作については従来と同様であるため説明を省略し、ここでは不審者に遭遇した通行人により、通行人が携行している携帯発信器３を操作した場合の動作を説明する。
【００２５】
まず、上記構成のインターホンシステムが、図１に示すように地域の複数の住戸Ｈ１，Ｈ２，・・に設置され、この地域を通学等で通行する子供や、通行する女性が所定の携帯発信器３を携行しているものとする。この状況において、不審者に遭遇した通行人により携行している発信器３の通報ボタン３６が操作されると、発信器ＣＰＵ３９がこれを検知して携帯発信器３の発信部３８から特定のの無線信号（不審者通報信号）が発信される。この電波は比較的弱い電波で発信され、例えば２０メートル以上離れると受信することが困難となる出力で発信される。
携帯発信器３から発信された電波は、近くの玄関子機１の無線受信部１７で受信され、子機ＣＰＵ１９が受信した不審者通報信号を居室親機２に送信する。尚、この時、受信可能な範囲にある全ての玄関子機１が受信し、同様に居室親機２に送信する。
【００２６】
不審者通報信号を受信した居室親機２は、親機ＣＰＵ３４が以下の動作を実施する。
玄関子機１のカメラ１３を起動させるカメラ起動信号を所定のタイミングで玄関子機１に送信する。この信号を受けた玄関子機１は、子機ＣＰＵ２０の制御によりカメラ１３が撮像を開始し、撮像映像を居室親機２へ伝送する。居室親機２に伝送されたカメラ１３の撮像映像はモニタ２４に表示され、同時に録画メモリ２７に録画される。その後、録画が終了したら、緊急表示部３２を点灯させる。
更に、玄関子機１のスピーカ１２ｂ、居室親機２のスピーカ２２ｂから夫々設定されたタイミングで警報音を鳴動させ、カメラ照明１６ａを点滅させて光による威嚇も行う。
【００２７】
尚、この動作での録画映像、即ち不審者通報信号を受けて録画した映像は、特別なフラグを立てる等して自動的にプロテクトし、居住者による居室親機２の操作や、その後の録画メモリ２７の録画エリア不足による上書きを禁止する。
【００２８】
このように、敷地内まで不審者が接近してこなくても不審者を録画することが可能となり、不審者の特定や犯罪の証拠として役立てることができる。また、不審者に対して警報を発したり、居住者に通報することにより通報者の安全を確保することが可能となる。
【００２９】
次に、不審者通報信号を受けた場合の録画及び警報について詳述する。不審者通報信号を受信した親機ＣＰＵ３４は、まずタイマ２９をスタートさせる。タイマ２９は、例えば１０秒等の一定時間が経過したら、録画、玄関子機１及び居室親機２で警報音の発報を開始させる遅延タイマとして機能する。
【００３０】
この遅延タイマ動作により、通報者が携帯発信器３を誤操作しても、警報音の発報、録画を一定時間は行わないため、通報者はこの間にキャンセル操作することでキャンセル信号を送信し、これを不審者通報信号と同様な経路で親機ＣＰＵ３４が受信することで、誤報であったことを認識し、警報動作をキャンセルさせることができ、居住者に迷惑を掛けないで済む。
また、通常は不審者通報信号を受信してから不審者が玄関前を通過するまで、ある程度の時間を要するため、このように遅延すことで不審者の録画タイミングを逃すことな少ないし、録画メモリ２７も有効に使用できる。
【００３１】
尚、この場合、玄関子機１のスピーカ１２ｂを使用した警報発報は、遅延させず不審者通報信号を受けたら直ぐに実施しても良く、誤報でない場合は通行人に対して速やかに通報できるし、不審者に対する威嚇は有効に作用する。また、誤報であったとしても、居室親機２は発報しないので居住者に迷惑をかけることがない。
逆に、タイマ２９を録画のタイミングのみ遅らせる録画開始タイマとして使用し、他の警報動作は遅延させずに実施し、上述したように不審者通報信号の受信してから玄関前を通過すると考えられる時間を考慮して録画のスタートのみ遅らせても良い。
【００３２】
そして、録画は夜間でも実施するよう構成されている。具体的に、明るい昼間はカメラ１３の撮像映像を動画で録画するが、夜間等暗い状況においてはカメラ照明１６を点滅させる威嚇動作を利用して録画し、カメラ照明１６の点滅に同期させた静止画を録画する。子機ＣＰＵ１９が照度センサ１５の検知信号を受けて夜間であることを認識したら、親機ＣＰＵ３４に通知し、カメラ照明１６に同期させた画像が録画メモリ２７に録画される。
【００３３】
これにより、明るい昼間は動画で録画するし、夜間等暗い場合は照明を照射したときの明るい画像を録画するので、良好な撮像状態で録画することができるし、撮影環境を活用した無駄のない録画を行うことができる。但し、通常呼出時の夜間は、点滅を止めて常時点灯させることで、昼間と同様に動画による録画を実施できる。
【００３４】
その後、即ち不審者通報信号を受信してから、タイマ２９が例えば１２０秒の所定時間をカウントしたら、録画及び居室親機２での警報動作を終了させる。こうして、録画終了に合わせて親機側の警報音が停止するので、居住者は録画の終了を認識できる。
【００３５】
尚、玄関子機１の警報動作等も終了させて、システム全体を待受け状態に移行させても良く、これにより居住者が留守の場合であっても、通報を受けて録画等を行い、その後自動で待受け状態に移行するので、留守にしたことで防犯機能が無駄になることがないし、使い勝手が悪くなることもない。
また、この終了動作は、居室親機２の警報音のみ停止させ、玄関子機１の警報音の報音や録画は継続させてもよく、一定時間経過後は、居室親機２側の警報音は停止するので、居住者に対する負担を軽減できる。一方、他の警報動作や録画は継続されるので、防犯機能を維持することができる。この場合、玄関子機１による警報動作の停止は、例えば玄関子機１での特殊操作（呼出ボタンの長押し等）により待ち受けに戻るように構成すればよい。
更に、タイマ２９を使用して録画や警報を遅延動作させているが、即座に録画等を開始しても当然かまわないし、カメラ照明１６を威嚇に使用しているが、別途、威嚇用の照明を設けても良く、この場合にも夜間の録画用に使用することが可能である。
また、携帯発信器３は、通報ボタン３６の操作で自身でも警報音を報音する構成であっても良く、不審者に対する威嚇になるし、通報者は携帯発信器３が機能していることを認識できる。
【００３６】
図４の構成図は、本発明のインターホンシステムの他の形態を示し、複数のインターホンシステムを通信ネットワークを介してサーバに接続した構成を示している。５はサーバ、６は携帯電話、７は携帯電話６と通信するための基地局、Ｎは通信ネットワークである。尚、各居室親機２には、通信ネットワークＮに接続するための通信ＩＦ（図示せず）が内蔵されている。
【００３７】
個々のインターホンシステムの動作は上述した通りであるため説明を省略し、ここではサーバ５の動作を中心に説明する。但し、不審者通報信号を受けた居室親機２は、親機ＣＰＵ３４が通信ネットワークＮを経由してサーバ５に居室親機ＩＤとともに不審者通報信号を送信し、更にカメラ１３が撮像した映像情報も送信するよう構成されている。
【００３８】
サーバ５は、玄関子機１又は居室親機２のＩＤ情報に加え、地域の地図情報と個々の住戸の場所情報が記憶され、通報者が通報した位置を特定できるように構成されている。つまり、通報者が携帯発信器３を操作すると、上述したように不審者通報信号が玄関子機１で受信され居室親機２に通知され、居室親機２は通信ネットワークＮを経由してサーバ５に居室親機ＩＤとともに不審者通報信号を送信する。こうして、サーバ５では、複数の居室親機からＩＤ情報が送信されることで、その情報を基に不審者がいる場所が特定することが可能となる。
【００３９】
また、このときに個々の玄関子機１のカメラ１３が撮像した映像も通信ネットワークＮを介してサーバ５に送信されて録画される。更に、サーバ５には不審者通報信号を受信したときに通知する例えば警備会社や自治会長の携帯電話６の番号が登録されており、サーバ５はこの携帯電話６に対してメール通知又は呼び出しを行い、通報動作する。
【００４０】
これにより、サーバ５を管理している例えば警備会社等は、速やかにその場所に急行することが可能であり、迅速な対応を行うことができる。また、サーバ５で不審者映像を一括管理でき、有効な利用を図ることができるし、居室親機２側で録画画像が削除された場合でも対処することができる。
更に、メールや呼出操作することで警備会社に通知したり、地域に住んでいる自治会長等に通知することで迅速な対応を図ることができる。
【００４１】
尚、上記実施形態では、居室親機２に留守中に伝言メモや来訪者がきたことによる新着があると新着表示部３１を点灯させて新着情報の確認を促す構成となっている。そのため、非常時の録画を受けて発光する緊急表示部３２は、新着表示部３１よりも光量を強くして発光させたり、モニタ２４にアイコンを表示させる等して、居住者が認識し易いよう動作させると良い。
また、カメラ１３の撮像映像から人物を検知する人物検知回路を設けて、人物を検知したときにはズーム処理するよう構成してもよいし、録画映像には録画時刻を合わせて記憶させれば、他の住戸の居室親機の録画時刻と比較して検証することにより、不審者の逃げた方向を確認することも可能である。
更に、居室親機２或いはサーバ５で録画した映像は、別途、携帯電話６に転送できる構成にすれば、警察等への情報提供を容易におこなうことが可能となる。
また、玄関子機１或いは居室親機２から報知する警報音は、「不審者確認中！」「警戒状態に切り替わりました」等の音声メッセージであってもよい。
また、通行人が携帯発信器３を忘れた場合の対応として、図１に示すように玄関子機１に緊急ボタン４を別途接続し、この緊急ボタンを押下することにより上記と同様の動作を可能としても良い。
【符号の説明】
【００４２】
１・・玄関子機、２・・居室親機、３・・携帯発信器、５・・サーバ（外部記憶手段）、１３・・カメラ、１５・・照度センサ、１６・・カメラ照明（照明手段）、１７・・無線受信部、１９・・子機ＣＰＵ、２１・・操作部、２４・・モニタ、２７・・録画メモリ、２９・・タイマ（録画開始タイマ、遅延タイマ、終了タイマ、鳴動停止タイマ）、３０・・設定記憶部、３２・・緊急表示部、３４・・親機ＣＰＵ（非常動作制御部）、３６・・通報ボタン、３７・・キャンセルボタン。
【図１】
2011135494.tif 000003
【図２】
2011135494.tif 000004
【図３】
2011135494.tif 000005
【図４】
2011135494.tif 000006